(57)【要約】      （修正有）【課題】家族などと手帳所有者自身のスケジュールなどを管理・確認するのに適し、一冊の手帳で自分と家族メンバーのスケジュールなどを簡単に管理・確認できる手帳を提供する。【解決手段】縦に長い長方形の手帳１０であって、ページの綴じ部１４を横断して見開きの両ページに亘って水平に伸びる罫線２２ａによって上下に分割された左右方向に長い多数の日割り記入欄２２ｂが形成され、これら日割り記入欄２２ｂにはページの開放縁側一端から他側端に向かって日付２２ｃ、所有者記入欄２２ｄ、家族欄２２ｅ〜２２ｈが、順に設けられている。【選択図】図１
0003181202.tif 000002
【実用新案登録請求の範囲】
【請求項１】
縦に長い長方形の手帳であって、
ページの綴じ部を横断して見開きの両ページに亘って水平に伸びる罫線によって上下に分割された左右方向に長い多数の日割り記入欄が形成された日割り記入欄ページを備え、これら日割り記入欄にはページの開放縁側一端から他側端に向かって日付、所有者記入欄、複数の家族メンバーに分割した家族欄が、順に設けられていることを特徴とする手帳。
【請求項２】
１ヶ月分の日割り記入欄ページは、連続する複数の見開きページに分割されている請求項１の手帳。
【請求項３】
所有者記入欄は、家族欄の各家族メンバー毎の記入欄よりも広い請求項１の手帳。
【請求項４】
各月の日割り記入欄ページとは別の見開き両ページに、１ヶ月の各日を見渡し可能とした１ヶ月見渡しページを有し、この１ヶ月見渡しページにはその月の１ヶ月を曜日毎に縦割りにした縦割り曜日欄が形成され、その月の各日の記入欄が上から週毎に順に前記縦割り曜日欄を横断して横に配列されている請求項１の手帳。
【請求項５】
１ヶ月見渡しページと、同じ月の日割り記入欄ページとが、１ヶ月毎に組み合わされて月順に綴じられている請求項４の手帳。
【請求項６】
１ヶ月見渡しページには、複数の縦割りの曜日欄と、この曜日欄と同幅かつ縦長の１つのメモ記入欄とを含み、前記メモ記入欄は見開きページの開放縁側に配置されている請求項４の手帳。
【請求項７】
各ページの開放縁には、各月の１ヶ月見渡しページと日割り記入欄ページとを月ごとに仕切る切り込みインデックスまたはタグが縦方向の異なる位置に設けられている請求項４の手帳。
【請求項８】
１ヶ月見渡しページと、同じ月の日割り記入欄のページとの組合わせを月ごとに綴じた後にメモページを綴じ、前記メモページは各ページを水平仕切り線によって上下分割した複数のメモ領域を持ち、各メモ領域には各ページの開放縁側に月日記入欄が設けられている請求項４の手帳。
【請求項９】
各ページを水平仕切り線によって上下分割した複数のメモ領域を形成した切り取りメモページを持ち、各メモ領域はミシン目によって切り取り可能とした請求項４の手帳。
【考案の詳細な説明】
【技術分野】
【０００１】
この考案は、家族のスケジュール（予定）を記入するための家族スケジュール記入用の家族欄を設けて、手帳所有者が自分と家族メンバーのスケジュールを対比して管理および確認できるようにした使い易い手帳に関するものである。
【背景技術】
【０００２】
従来より種々の用途に対応して種々の手帳が提案されている。例えば、要介護者を看護する際に、看護人と家族とが連携するための在宅介護ノートが公知である（特許文献１）。これは、要介護者が服用した薬の種類、服用時間、介護内容、体調などの記入欄等を設けたものである。
【０００３】
また医療側と患者あるいはその家族との間で、患者の背景、栄養基本情報、食事計画、経過観察などを記入する各頁を有する栄養手帳が公知である（特許文献２）。これは例えば患者が施設あるいは在宅への移動があった時に栄養指導の履歴を確認し易くするものである。
【０００４】
特許文献３には、ペットの愛称、出生年月日、写真、健診検査項目、各検査項目欄の基準値、健診データ記録ページ、等を設けたペット用母子手帳が記載されている。特許文献４には、自己の体調データ（血圧、脈拍、体重、歩数など）、診療/健診/服薬などの記録を管理できるようにした携行形健康管理手帳が開示されている。
【先行技術文献】
【特許文献】
【０００５】
【特許文献１】特許第３９９７２８８号公報
【特許文献２】特開２０１１−２５１４９８号公報
【特許文献３】実用新案登録第３１３６０１８号公報
【特許文献４】実用新案登録第３００８１５２号公報
【考案の概要】
【考案が解決しようとする課題】
【０００６】
手帳の種類は多いが、そのほとんどは手帳所有者自身の情報、行動予定/行動記録、備忘録、等を記載するものである。また前記のように患者やペットの情報を記録したり、情報を他の関係者（介護者、管理者など）にこの記録を伝えて介護や管理を円滑に行なえるようにするものである。
【０００７】
このように従来のものは手帳の所有者が自分自身の情報（スケジュール、行動記録などを含む。）を記録したり、被介護・被管理者（介護/管理対象者）の情報を記録するものである。前者の自分自身の情報を記録するものでは、他人（家族メンバーを含む。）の情報はメモ欄などに適宜記録することになるが、後でこの情報を探し出すのは煩わしいものである。また後者の被介護・被管理者の情報を記録するものでは、被介護者/被管理者毎に手帳を作成しておく必要があり、管理が面倒である。
【０００８】
この考案はこのような事情に鑑みなされたものであり、家族などの人数が限られた関係者と手帳所有者自身のスケジュール（予定）や行動記録などを管理したり確認するのに適し、一冊の手帳で自分のスケジュールなどと複数の家族メンバーのスケジュールなどとを簡単に管理・確認することができる手帳を提供することを目的とする。
【課題を解決するための手段】
【０００９】
この考案によればこの目的は、縦に長い長方形の手帳であって、ページの綴じ部を横断して見開きの両ページに亘って水平に伸びる罫線によって上下に分割された左右方向に長い多数の日割り記入欄が形成され、これら日割り記入欄にはページの開放縁側一端から他側端に向かって日付、所有者記入欄、複数の家族メンバーに分割した家族欄が、順に設けられていることを特徴とする手帳、により達成される。
【考案の効果】
【００１０】
この考案によれば、見開きの両ページにわたって左右に長い多数の日割記入欄を形成し、この日割り記入欄に一端から日付、所有者記入欄、複数の家族メンバーに分けた家族欄が順に設けてあるので、同じ日付における手帳所有者自身および各家族メンバーのスケジュールや行動記録などを、同じ罫線に沿った長い日割り記入欄に記載することができる。
【００１１】
また各メンバーごとのスケジュールなどを該当する日の記入欄に記載しておけば、自分自身の記載事項を確認する時に各メンバーのスケジュール（予定）なども一度に対比して、手帳所有者自身のスケジュールなどと各メンバーのスケジュールなどを容易に対比しつつ確認できて便利である。また所有者記入欄があるので、手帳所有者自身のスケジュールなどを記入することにより手帳としての機能を十分に発揮させることができる。
【図面の簡単な説明】
【００１２】
【図１】本校案の一実施例を示す斜視図
【図２】１ヶ月見渡しページを示す平面図
【図３】本考案に係る日割り記入欄を示す平面図
【図４】メモ欄を有するメモページの平面図
【図５】切り取り可能なメモ欄を有するメモページの平面図
【考案を実施するための形態】
【００１３】
１ヶ月分の日割り記入欄は見開いた左右ページに納めてもよいが、この場合には日毎の記入欄の幅が狭くなり、メモなどの書き込みがし難くくなる。そこで１ヶ月分の日数を複数の見開きページに分割してもよい。例えば連続する続きページの見開きに１ヶ月の半分ずつに分けるのがよい（請求項２）。続く２ページ以上の見開きに分割してもよい。
【００１４】
日割り記入欄に設ける手帳所有者自身の記入欄（所有者記入欄）は、家族欄の各家族メンバー毎の記入欄よりも広くするのが望ましい（請求項３）。通常手帳の所有者は、自分の手帳なので記入する事項が多くなるので、この記入欄を広く（記入欄の長さ方向に長く）確保することにより所有者に都合がよく使い易い手帳になる。
【００１５】
各月の日割り記入欄とは別の見開き両ページに、その月の各日を見渡し可能な１ヶ月見渡しページを設ければ一層使い易いものとなる(請求項４）。すなわち、その月の１ヶ月を曜日毎に縦割りにした縦割り曜日欄を形成し、その月の各日の記入欄を上から順に前記縦割り曜日欄を横断して横に配列し、そのページを開けばこの１ヶ月の各日を一度に見渡せるようにするものである。この１ヶ月見渡しページを設けることにより、他のページの日割り記入欄と対比して家族メンバーのスケジュールを考慮して自分のスケジュールを設定したり変更したりして、家族全員のスケジュールを確認し管理し易くなる。
【００１６】
１ヶ月見渡しページと、同じ月の日割り記入欄のページとは、１ヶ月毎に組み合わせて月順に綴じおけば、同じ月の見渡しページと日割り記入欄のページが隣接して連続することになり、両ページの対比をする場合に都合がよい（請求項５）。
【００１７】
１ヶ月見渡しページには、複数の縦割りの曜日欄と、この曜日欄と同幅かつ縦長の１つのメモ記入欄とを含み、前記メモ記入欄は見開きページの開放縁側に配置するのがよい（請求項６）。例えば一週間は７日なので、これを片方のページ(例えば左ページ）に前記メモ記入欄と日、月、火曜の曜日欄を設け、他方のページ（例えば右ページ）に水、木、金、土曜の曜日欄を設ける。
【００１８】
このようにすればメモ記入欄および曜日欄の合計が８となるから、左右のページにそれぞれ４つの縦長の欄を形成することができ、各日の配置バランスが良好であり、メモ記入欄が開放縁側なのでメモの書き込みがしやすい。このメモ記入欄には、その月の目標、課題、注意事項、事業予定、解決テーマなどの大まかな事項を記入しておき、その月に特有な事項を忘れるのを防ぎ注意喚起することができる。
【００１９】
１ヶ月見渡しページと、同じ月の日割り記入欄のページとを、１ヶ月毎に組み合わせて月順に綴じた場合（請求項５）には、各月の月見渡しページと日割り記入欄ページとが隣接するので、各ページの開放縁に、月ごとに仕切る切り込みインデックスまたはタグを縦方向の異なる位置に設けておけば、目標のページを開くのに都合がよい（請求項７）。
【００２０】
１ヶ月見渡しページと、同じ月の日割り記入欄のページとの組合わせを月ごとに綴じた（請求項５）後にメモページを綴じ、前記メモページは各ページを水平仕切り線によって上下分割した複数のメモ領域を設けておき、各メモ領域には各ページの開放縁側に月日記入欄を設けておくのがよい（請求項８）。この月日記入欄は、例えば「／」の斜め線（スラッシュ）を入れておきその左右に月と日を記入できるようにする。このように／を予め入れておけばメモを記入する時に月と日にちの書き忘れを防ぐことができる。
【００２１】
メモページは、各ページを水平仕切り線によって上下分割した複数のメモ領域を形成しておくが、この各メモ領域はミシン目によって切り取り可能としておけば、メモ領域を切り取って利用でき一層便利である（請求項９）。
【実施例１】
【００２２】
図１において符号１０は手帳であり、多数の縦長のページ１２を綴じ部１４で綴じ、各ページ１２の反綴じ部側（開放縁側）１６をめくって希望のページを開くものである。各ページ１２を綴じたページ綴じ体１２ａの外面には、綴じ部１４側を巻いてビニール製のカバー１８が接着されている。この手帳１０は、横幅が日本人女性が片手で無理なく持てる最大のサイズ（１０５ｍｍ）であり、縦寸法は日本人女性の手の長さ（平均１７.３ｍｍ）にあわせて、片手で無理なく持てる最大サイズとしている。
【００２３】
ページ綴じ体１２ａは、図２に示す１ヶ月見渡しページ２０、図３に示す１ヶ月の日割り記入欄ページ２２、図４に示すメモページ２４、図５に示す切り取りメモページ２６、その他の情報ページ（テレフォン情報、贈答のマナー、贈答の記録、防災資料、食のマメ知識、ヘルスチェックカレンダー、年齢早見表などのページ）を綴じたものである。
【００２４】
１ヶ月見渡しページ２０は、見開きページの左ページに、縦長のメモ記入欄２０ａと、縦割りの日、月、火の曜日欄２０ｂ、２０ｃ、２０ｄが配され、右ページに同様に木、金、土の曜日欄２０ｅ、２０ｆ、２０ｇ、２０ｈが配されている。そしてその月の各日の記入欄を上から週毎に順に前記縦割り曜日欄２０ｂ〜２０ｈを横断して横に配列し、１ヶ月の各日を見渡し可能な１ヶ月見渡しページとしたものである。
【００２５】
縦長のメモ記入欄２０ａの上部にはその月の月数、年号、等が記入され、メモ記入欄２０ａの下部には、次の月とその次の月のカレンダーが縮小されて挿入されている。なお月によって日数が異なるから、５週間で済む月と６週間に亘る月とがある。そのため６週間になる場合の上下寸法が５週間で済む場合と同じになるように、６週間の月ではその上下幅を狭くして同じ寸法のページに入るようにしている。
【００２６】
１ヶ月の日割り記入欄ページ２２は図３に示すように、ページの綴じ部１４を横断して見開きの両ページに亘って水平に伸びる罫線２２ａによって上下に分割された左右方向に長い多数の日割り記入欄２２ｂが形成されている。これら日割り記入欄２２ｂにはページの開放縁側一端（左側端）から他側端（右側端）に向かって、日付・曜日２２ｃ、所有者記入欄２２ｄ、複数の家族メンバーに分割した家族欄２２ｅ〜２２ｈが、順に設けられている。なお日付・曜日２２ｃの反対側の端部にも補足的に日付と曜日を入れているので、手帳１０を右手に持った時は勿論、左手に持った時にも目当ての日付の欄を検索し易くなっている。
【００２７】
家族欄２２ｅ〜２２ｈの背景色を白と薄いピンク色とで交互に分けて区別したり、それぞれ異なる薄い着色をしておけば、興趣に富んだページとなり家族スケジュールの記入を一層楽しくすることができる。さらにこのページ２２の上部には家族欄２２ｅ〜２２ｈのメンバー毎の愛称などの記入を促すためにハトのシルエットを入れ、記入の楽しさを増大させている。
【００２８】
ここに所有者記入欄２２ｄの範囲は他の家族欄２２ｅ〜２２ｈに比べて十分に長く設定され、前者２２ｄは後者２２ｅ〜ｈよりも記載可能な範囲が広くなっている。またこのページには１ヶ月の半分が収容され、残りの半分は次の見開きページに分割されている。このようにすることにより、１ヶ月分の日割り記入欄２２ｂの幅を広くしてスケジュールなどを記入しやすくしている。
【００２９】
メモページ２４は図４に示すように、各ページを水平仕切り線２４ａによって上下分割した複数のメモ領域２４ｂを持ち、各メモ領域２４ｂには各ページの開放縁側に月日記入欄２４ｃが設けられている。月日記入欄２４ｃは、「／」（スラッシュ）である斜線であり、この斜線の左右に月と日を記入するようにしている。この斜線により、メモを記入する際に日付けの記入を忘れるのを防ぐものである。
【００３０】
切り取りメモページ２６は図５に示すように、各ページを３本のミシン目からなる水平仕切り線２６ａによって上下に４分割し、かつページの綴じ部１４を挟んだ左右一対のミシン目からなる垂直線２６ｂによって複数のメモ領域２６ｃを形成したものであり、各メモ領域２６ｃはこれらのミシン目２６ａ、２６ｂによって切り取り可能である。
【００３１】
このように構成された各ページ２０、２２、２４、２６は、ページ綴じ体１２ａの表紙側（カバー１８の表紙側、図１の左ページ側）から重ねて綴じられている。すなわち１ヶ月見渡しページ２０と日割り記入欄ページ２２とが、各月毎に組み合わされて月順に重ねて綴じられている。これらの各月の組合わせを綴じた部分の後に、適宜枚数のメモページ２４および適宜枚数の切り取り用メモページ２６が重ねられて綴じられている。
【００３２】
１ヶ月見渡しページ２０と日割り記入欄ページ２２を月ごとにまとめた組みを各月毎の順次重ねた部分（以下月毎積層部という。）の各ページ開放縁には、各月の月見渡しページと日割り記入欄ページとを月ごとに仕切る切り込みであるインデックス２０ｉ、２２ｉが上から順に位置をずらせて縦方向に設けられている。これらの切り込みのインデックス２０ｉ、２２ｉには、対応する月を示す数字１〜１２が記入されている。この切り込みインデックス２０ｉ、２２ｉの存在により、前記のように女性でも持ちやすくする手帳寸法を採用したこともあって、目的のページをすぐに開け探し易くするという効果が得られるものである。
【００３３】
この手帳１０の使用方法は通常の手帳と同じである。目的月のページ２０あるいは２２を探すときに、手帳１０を右手に持ったときには各ページ１２の開放縁を親指で調整しながら右から左に順次送り、切り込みインデックス２０ｉ、２２ｉで確認しながら目的月のページを開く。同様に左手に持ったときには、各ページ１２を逆に左から右に順次送りながら目的ページを詮索する。そしてこれらのページ２０、２２に手帳所有者自身のスケジュールを記入すると共に、家族のスケジュールはページ２２に記入すればよい。
【００３４】
また適宜のメモはメモページ２４のメモ領域２４ｂに日付と共に記入すればよく、メモを切り取って手帳所有者自身が忘れない場所や関連する場所に置いたり貼付しておくときには、切り取り用メモページ２６のメモ範囲２６ｃに記入してこれを切り取って使用すればよい。
【符号の説明】
【００３５】
１０  手帳
１２  ページ
１４  ページの綴じ部
１６  反綴じ部側（開放縁側）
１８  カバー
２０  １ヶ月見渡しページ
２０ａ  メモ記入欄
２０ｂ〜２０ｈ  縦割り曜日欄
２０ｉ、２２ｉ  切り込みインデックス
２２  日割り記入欄ページ
２２ａ  罫線
２２ｂ  日割り記入欄
２２ｃ  日付（日付・曜日）
２２ｄ  手帳所有者用記入欄
２２ｅ〜２２ｈ  家族欄
２４  メモページ
２４ｂ  メモ領域
２６  切り取り用メモページ
２６ａ  ミシン目である水平切り取り線
２６ｂ  ミシン目である垂直切り取り線
２６ｃ  メモ領域
【図１】
0003181202.tif 000003
【図２】
0003181202.tif 000004
【図３】
0003181202.tif 000005
【図４】
0003181202.tif 000006
【図５】
0003181202.tif 000007